(57)【要約】【課題】  色がかったスミアを効果的に低減することができる撮像装置及びその制御方法を提供する。【解決手段】  撮像装置には、アレイ状に複数の画素が配置され、３色の原色フィルタがベイヤ方式により画素毎に配列された撮像素子と、この撮像素子から電気信号を読み出すタイミングを制御する制御手段とが設けられている。制御手段は、間引き動作モードにおいて複数の画素のうちから選択的に読み出しを行う際に、例えば間引き率１／５の読み出しを行う際に、読み出しの対象とする画素に付された原色フィルタの色に応じて、赤色のスミアが目立たないように読み出しのタイミングを変化させる。【選択図】  図２
2006157237.tif 000002
【特許請求の範囲】
【請求項１】
アレイ状に複数の画素が配置され、３色の原色フィルタがベイヤ方式により画素毎に配列された撮像素子と、
前記撮像素子から電気信号を読み出すタイミングを制御する制御手段と、
を有し、
前記制御手段は、間引き動作モードにおいて前記複数の画素のうちから選択的に読み出しを行う際に、読み出しの対象とする画素に付された原色フィルタの色に応じて、読み出しのタイミングを変化させることを特徴とする撮像装置。
【請求項２】
前記制御手段は、前記間引き動作モードにおいて、前記複数の画素が構成する複数の行のうちの奇数分の１から読み出しを行うようにタイミングの制御を行うことを特徴とする請求項１に記載の撮像装置。
【請求項３】
前記撮像素子は、
前記複数の画素が構成する列毎に設けられた複数の垂直転送路と、
前記複数の垂直転送路の一端に接続された水平転送路と、
を有することを特徴とする請求項１又は２に記載の撮像装置。
【請求項４】
前記撮像素子は、前記水平転送路を介して外部に信号が出力されてから次に信号が出力されるまで、前記垂直転送路から前記水平転送路に転送された信号を合成することを特徴とする請求項３に記載の撮像装置。
【請求項５】
前記信号には、実際に読み出しが行われた画素からの信号だけでなく、間引き動作モードの際に読み出しの対象外とされた画素からの実質的に内容が存在しない信号も含まれていることを特徴とする請求項４に記載の撮像装置。
【請求項６】
前記読み出しのタイミングには、複数の候補が存在し、
前記制御手段は、前記複数の候補のうちから赤色の原色フィルタが付された画素におけるスミアが最も目立たなくなるタイミングを選択することを特徴とする請求項１乃至５のいずれか１項に記載の撮像装置。
【請求項７】
アレイ状に複数の画素が配置され、３色の原色フィルタがベイヤ方式により画素毎に配列された撮像素子を備えた撮像装置の動作を制御する方法であって、
間引き動作モードにおいて前記複数の画素のうちから電気信号を選択的に読み出しを行う際に、読み出しの対象とする画素に付された原色フィルタの色に応じて、読み出しのタイミングを変化させることを特徴とする撮像装置の制御方法。
【請求項８】
アレイ状に複数の画素が配置され、３色の原色フィルタがベイヤ方式により画素毎に配列された撮像素子を備えた撮像装置の動作をコンピュータに行わせるプログラムであって、コンピュータに、
間引き動作モードにおいて前記複数の画素のうちから電気信号を選択的に読み出しを行う際に、読み出しの対象とする画素に付された原色フィルタの色に応じて、読み出しのタイミングを変化させることを特徴とするプログラム。
【発明の詳細な説明】
【技術分野】
【０００１】
本発明は、静止画像や動画像を撮像する際に用いられる撮像装置及びその制御方法に関する。
【背景技術】
【０００２】
ディジタルカメラで用いられる撮像素子であるＣＣＤイメージセンサには、一般に赤（Ｒ）、緑（Ｇ）、青（Ｂ）の３種の原色系のフィルタが備えられ、これらがベイヤ方式とよばれる方式により配列されている。この配列を図５に示す。即ち、Ｇが市松状に配置され、残りの部分にＲ及びＢが配置されている。
【０００３】
撮像装置において、レンズにより集光された光はこれらのフィルタを通過した後、フォトダイオードという受動素子に照射され、光エネルギーが電気的エネルギーに変換される。この信号電荷は後段のＡ／Ｄコンバータ、信号処理回路等で映像処理され、静止画像又は動画像が再現される。
【０００４】
撮像素子の信号電荷を読み出す方法には、大きく分けて２種類ある。撮像素子の全画素に対応する信号電荷を読み出す全画素モードと、垂直方向に対して画素に対応する信号電荷を間引いて読み出す間引き動作モードである。間引き動作モードは、撮像素子の画素数列につき、１列を読み出す動作モードである。
【０００５】
ディジタルカメラにモニタとして設けられているＬＣＤパネル等の表示装置（電子ビューファインダ（ＥＶＦ：Electric View Finder））の画素数は、多くの場合、撮像素子の画素数の数１０分の１程度である。このため、撮影しようとするシーンを表示する場合、撮影画像を表示する場合のいずれにおいても、撮像素子の全画素を用いた画像を表示することはできない。
【０００６】
また、１画面の全画素の情報を読み出すには時間がかかるため、全画素モードで読み出すと、撮影しようとするシーンを表示している間や動画撮影中に、映像がとぎれとぎれに見えるという等価残像現象が発生する。これに対し、間引き動作モードでは、間引いて読み出す分、１画面の情報を読み出す時間も短くなり、等価残像現象は目立たないレベルまで抑えられる。
【０００７】
よって、これらの理由により、撮影しようとするシーンを表示している間や動画撮影中には、一部の画素を間引いて読み出す間引き動作モードが用いられている。
【０００８】
また、ＣＣＤイメージセンサにおいては、スミアという現象が発生する。スミアとは、ＣＣＤイメージセンサにおいて垂直転送路に光が漏れる偽信号である。スミアでは、漏れる光の量に比例して偽電荷が発生する。これにより、垂直方向にほぼ同じ量の電荷が加算され、光の帯が垂直に延びているように見える。また、スミアが発生すると、信号電荷のみならず、本来電荷が含まれていないはずの電極から転送された信号にも電荷が発生してしまう。また、スミアに色がつくこともある。このような場合、質の高い映像を表示することが困難となる。但し、現在の技術では、ＣＣＤイメージセンサの構造上、スミアを完全に防止することはできない。
【０００９】
また、撮像素子の各色のフィルタには、図６に示すように、分光感度のレベルに差があることがある。このレベル差は映像処理回路において、ゲイン調整し、同じ量にするように処理が行われている。しかし、スミアはフィルタを通過せずに生じる信号電荷であるため、同じ量の電荷に対してゲイン調整が行われ、実際には大きさの異なる信号が扱われることになる。
【００１０】
【特許文献１】特開２０００−２９９８１７号公報
【発明の開示】
【発明が解決しようとする課題】
【００１１】
本発明は、色がかったスミアを効果的に低減することができる撮像装置及びその制御方法を提供することを目的とする。
【課題を解決するための手段】
【００１２】
本願発明者は、前記課題を解決すべく鋭意検討を重ねた結果、以下に示す発明の諸態様に想到した。
【００１３】
本発明に係る撮像装置は、アレイ状に複数の画素が配置され、３色の原色フィルタがベイヤ方式により画素毎に配列された撮像素子と、前記撮像素子から電気信号を読み出すタイミングを制御する制御手段と、を有し、前記制御手段は、間引き動作モードにおいて前記複数の画素のうちから選択的に読み出しを行う際に、読み出しの対象とする画素に付された原色フィルタの色に応じて、読み出しのタイミングを変化させることを特徴とする。
【００１４】
本発明に係る撮像装置の制御方法は、アレイ状に複数の画素が配置され、３色の原色フィルタがベイヤ方式により画素毎に配列された撮像素子を備えた撮像装置の動作を制御する方法であって、間引き動作モードにおいて前記複数の画素のうちから電気信号を選択的に読み出しを行う際に、読み出しの対象とする画素に付された原色フィルタの色に応じて、読み出しのタイミングを変化させることを特徴とする。
【００１５】
本発明に係るプログラムは、アレイ状に複数の画素が配置され、３色の原色フィルタがベイヤ方式により画素毎に配列された撮像素子を備えた撮像装置の動作をコンピュータに行わせるプログラムであって、コンピュータに、間引き動作モードにおいて前記複数の画素のうちから電気信号を選択的に読み出しを行う際に、読み出しの対象とする画素に付された原色フィルタの色に応じて、読み出しのタイミングを変化させることを特徴とする。
【発明の効果】
【００１６】
本発明によれば、ＥＶＦに撮像しようとする対象や撮像している動画像を表示する際にスミアが発生しても、色がかったスミアを抑制することができる。
【発明を実施するための最良の形態】
【００１７】
以下、本発明の実施形態について添付の図面を参照して具体的に説明する。図１は、本発明の実施形態に係る撮像装置を示すブロック図である。
【００１８】
本実施形態に係る撮像装置には、レンズ・絞り等を含む鏡筒１、鏡筒１を駆動する鏡筒制御ドライバ２、鏡筒１によって集められた光を電気エネルギーに変換する固体撮像素子３、固体撮像素子３を制御するタイミングジェネレータ４、固体撮像素子３より出力される画素信号をＡ／Ｄ変換するＡ／Ｄ変換回路５、Ａ／Ｄ変換された画素信号を入力し、映像処理を行う映像処理回路６、及びシステム制御回路７が設けられている。システム制御回路７には、押しボタンスイッチ８が接続されており、このスイッチ８のオン／オフの状態の情報がシステム制御回路７に伝えられる。なお、固体撮像素子３はＣＣＤイメージセンサである。また、本実施形態では、間引き動作モードでは、垂直方向に並んだ画素のうちから５分の１の画素のみを用いるものとする。
【００１９】
図２は、固体撮像素子３の構成を示す模式図である。固体撮像素子３には、各画素に対応するようにしてフォトダイオード３１が格子状に配列されており、各フォトダイオード３１に、画素フィルタ（図示せず）が設けられている。画素フィルタの色は、赤（Ｒ）、緑（Ｇ）、青（Ｂ）のいずれかであり、これらが図５に示すベイヤ方式で配列されている。これらのフォトダイオード３１により、各色の光の量に比例した電荷を蓄えることができる。
【００２０】
このような固体撮像素子３では、各フォトダイオード３１に垂直転送電極３２という４種類の電極（φＶ１Ａ、φＶ１Ｂ、φＶ２Ａ、φＶ２Ｂ）が接続されており、垂直方向に交互に配列され、垂直転送路が構成されている。フォトダイオード３１に電荷が蓄えられた後、φＶ１Ａ、φＶ２Ａの垂直転送電極にのみ読み出しパルスとよばれるパルス電圧がかけられると、フォトダイオード３１に蓄えられたマイナスの電荷が電気的作用により垂直転送電極（φＶ１Ａ、φＶ２Ａ）に移動する。このような電荷の移動が行われた後、その他フォトダイオード３１に蓄えられた電荷は基板中に捨てられ、利用されない。
【００２１】
そして、垂直転送電極３２に印加する電圧を、電荷が引き付けられる状態（＋）、電荷が引き付けられない状態（−）に交互に入れ替えることにより、電荷を垂直方向に移動させる。このとき、電荷の混ざり及び逆流は生じない。ここで、φＶ１Ａ及びφＶ１Ｂに印加する電圧、φＶ２Ａ及びφＶ２Ｂに印加する電圧は、読み出しパルス電圧以外については、夫々の組において等しい。例えば、φＶ１Ａに正の電圧を印加する時には、φＶ１Ｂにも正の電圧を印加する。
【００２２】
本実施形態では、全垂直転送電極に対するφＶ１Ａ及びφＶ２Ａを合わせ電極の数の割合は、上述のように、１／５であり、これが間引き動作モードの間引き割合となっている。従来の撮像装置では、この割合は一般的に１／４以下である。なお、読み出しパルスの印加によって電荷が引き付けられる＋の電極（電荷許容電極）には、実際に信号電荷が引き付けられている電極と、電荷が存在せず実際には信号電荷が引き付けられない電極がある。以下、後者の電極には、「空電荷」という架空の電荷が引き付けられたものとして説明する。
【００２３】
また、図２に示すように、垂直転送電極３２の終端には、複数の水平転送電極３３から構成された水平転送路が接続されており、垂直転送電極３２の終端から垂直方向に一段移動された電荷は、この水平転送路に移される。水平転送路には、φＨ１、φＨ２の電極が交互に並べられており、１個の水平転送電極３３に対して、垂直方向に１列に並べられた複数の垂直転送電極３２が対応している。
【００２４】
水平転送電極３３においても、電極の＋と−とを交互に入れ替えることにより水平方向に電荷が移動させられる。このとき、電荷の混ざり及び逆流は生じない。行をなす水平転送電極３３の終端には出力アンプ部３４が接続されている。出力アンプ部３４は、コンデンサのチャージの原理で電荷を電圧に変換して出力する。この電圧は、図１に示すように、Ａ／Ｄ変換回路５にシリアルで送信された後、映像情報処理回路６に入力されて画像が生成される。
【００２５】
垂直転送路から水平転送路へ電荷が移動する際は、電荷許容領域が１つ移動し水平転送が行われるのではなく、１個の信号電荷及び複数の空電荷が水平転送路に移動されて水平転送が開始される。つまり、移動の際に、信号電荷及び空電荷が合成される。以下、この合成された電荷を電荷パケットとよぶ。このような処理を行うのは、１つの電荷許容領域に対して水平転送処理をさせることは、処理時間及び消費電力の増大につながり、また、スミアが生じていなければ、空電荷は信号をほとんど含んでいないため、合成しても画像に影響は生じないという理由等による。
【００２６】
但し、本実施形態のように、間引き動作モード時の間引き割合が奇数分の１の場合には、奇数番目のパケットと偶数番目のパケットとの間で、合成される空電荷の数が相違する。例えば、１／４の間引き割合の場合には、常に１パケットに１個ずつ空電荷が合成されるが、本実施形態のように、１／５の間引きの場合には、合成される空電荷の数が、１個であったり、２個であったりする。このため、そのまま読み出したのでは、スミア等の影響がある場合に、表示される映像の質が低いものとなってしまう。
【００２７】
そこで、本実施形態では、次のような規則を設けている。
（１）  垂直転送電極３２の配列に関し、垂直方向においては、φＶ１＊とφＶ２＊とを交互に並べる（＊は、Ａ又はＢ）。また、φＶ１Ａ及びφＶ２Ａを一定の間隔（５行毎）で交互に並べる。更に、水平方向においては、全て同じ種類の電極とする。図２に示す垂直転送電極３２は、この規則に従って配列されている。
（２）  間引き動作モードにおけるフォトダイオードから垂直転送電極への電荷の移動に関し、φＶ１Ａからの読み出しを行った後に、φＶ２Ａからの読み出しを行う。また、読み出しパルスは、電圧を＋としている期間に瞬間的に発生させる。
（３）  φＶ１＊及びφＶ２＊に印加する垂直転送のための電圧は、電荷が引き付けられる電圧（＋）及び電圧が引き付けられない電圧（−）の２種類とし、φＶ１＊とφＶ２＊とで対にする。即ち、φＶ１＊に電圧（＋）を印加するタイミングでは、φＶ２＊に電圧（−）を印加する。
（４）  転送タイミングのＶレート（垂直転送レート）は、２Ｖごとに等しくする。
【００２８】
次に、上述のように構成された撮像装置の動作について説明する。図３は、固体撮像素子３における電荷の変化の状態（特に、読み出し開始直後の状態）を示す模式図である。なお、四角（□）はプラスの電圧が印加されていることを示し、縦線（│）はマイナスの電圧が印加されていることを示している。また、塗りつぶされた四角はφＶ１Ａを介して読み出された信号電荷（α）が含まれていることを示し、斜線が付された四角はφＶ２Ａを介して読み出された信号電荷（β）が含まれていることを示す。また、空白の四角は空電荷が存在していることを示す。
【００２９】
図３に示すように、各電極φＶ１Ａ、φＶ１Ｂ、φＶ２Ａ、φＶ２Ｂは、上記の条件（１）を満たして配置されている。また、間引き動作モードは１／５間引きであるため、１０個の垂直転送電極の中にφＶ１Ａ及びφＶ２Ａが１個ずつ配置されている。
【００３０】
そして、間引き読み出しを行うに当たっては、上記の条件（２）に基づいて、先ず、時刻ｔ0において、φＶ１＊（φＶ１Ａ及びφＶ１Ｂ）に電圧（＋）を印加し、φＶ２＊（φＶ２Ａ及びφＶ２Ｂ）に電圧（−）を印加する。
【００３１】
次に、時刻ｔ1において、φＶ１Ａに瞬間的に読み出しパルス電圧を印加する。この結果、φＶ１Ａに対応するフォトダイオードから垂直転送電極に信号電荷（α）が移動する。このとき、電圧（＋）はφＶ１Ａ及びφＶ１Ｂに印加されているが、φＶ１Ｂには読み出しパルス電圧が印加されないため、ここから電荷が読み出されることはなく、空電荷が存在するようになる。
【００３２】
次に、時刻ｔ2において、φＶ１＊（φＶ１Ａ及びφＶ１Ｂ）に電圧（−）を印加し、φＶ２＊（φＶ２Ａ及びφＶ２Ｂ）に電圧（＋）を印加する。この結果、時刻ｔ1において読み出された電荷は下方向に一段移動する。
【００３３】
次に、時刻ｔ3において、φＶ２Ａに瞬間的に読み出しパルス電圧を印加する。この結果、φＶ２Ａに対応するフォトダイオードから垂直転送電極へ信号電荷（β）が移動する。このとき、電圧（＋）はφＶ２Ａ及びφＶ２Ｂに印加されているが、φＶ２Ｂには読み出しパルス電圧が印加されないため、ここから電荷が読み出されることはなく、既に信号電荷（α）が存在しているものを除き、空電荷のみが存在したままである。
【００３４】
そして、時刻ｔ4において、φＶ１＊（φＶ１Ａ及びφＶ１Ｂ）に電圧（＋）を印加し、φＶ２＊（φＶ２Ａ及びφＶ２Ｂ）に電圧（−）を印加する。この結果、時刻ｔ3において読み出された電荷は下方向に一段移動する。
【００３５】
その後、時刻ｔ5以降、同様にしてφＶ１＊及びφＶ２＊に対になる電圧を順次かけ信号電荷を一段ずつ下に下げていく。これを時刻ｔ11以降で一般化したものを図４に示す。但し、「ｋ＝１１，２１，３１，・・・」である。
【００３６】
図４に示すように、水平転送電極に信号電荷が渡され次第、水平転送を行い、出力アンプ部３４を通じて信号電荷（α）及び信号電荷（ｂ）をＡ／Ｄ変換器５に出力する。但し、このとき、水平転送電極には信号電荷だけではなく、空電荷も転送される。また、空電荷の数は、転送のタイミングに応じて変化する。
【００３７】
例えば、図４に示す例では、時刻ｔk+1〜ｔk+10のみについて検討すると、空電荷の合成の種類は次の３通りとなる。
【００３８】
（i）ｔk+3とｔk+4との間、及びｔk+9とｔk+10との間に水平転送
時刻ｔk+3と時刻ｔk+4との間に水平転送が行われると、時刻ｔk+1において水平転送路に到達した空電荷が信号電荷（α）に合成される。その後、時刻ｔk+9と時刻ｔk+10との間に水平転送が行われると、時刻ｔk+5及びｔk+7において水平転送路に到達した空電荷が信号電荷（β）に合成される。従って、αを含む電荷パケットについては、「１個」の空電荷が信号電荷（α）に合成され、βを含む電荷パケットについては、「２個」の空電荷が信号電荷（β）に合成される。
【００３９】
（ii）ｔk+5とｔk+6との間、及びｔk+9とｔk+10との間に水平転送
時刻ｔk+5と時刻ｔk+6との間に水平転送が行われると、時刻ｔk+1及びｔk+5において水平転送路に到達した空電荷が信号電荷（α）に合成される。その後、時刻ｔk+9と時刻ｔk+10との間に水平転送が行われると、時刻ｔk+7において水平転送路に到達した空電荷が信号電荷（β）に合成される。従って、αを含む電荷パケットについては、「２個」の空電荷が信号電荷（α）に合成され、βを含む電荷パケットについては、「１個」の空電荷が信号電荷（β）に合成される。
【００４０】
（iii）ｔk+7とｔk+8との間、及びｔk+9とｔk+10との間に水平転送
時刻ｔk+7と時刻ｔk+8との間に水平転送が行われると、時刻ｔk+1、ｔk+5及びｔk+7において水平転送路に到達した空電荷が信号電荷（α）に合成される。その後、時刻ｔk+9と時刻ｔk+10との間に水平転送が行われると、それ以前に水平転送路に到達した空電荷は既に転送されているため、空電荷は全く信号電荷（β）に合成されない。従って、αを含む電荷パケットについては、「３個」の空電荷が信号電荷（α）に合成され、βを含む電荷パケットについては、「０個」の空電荷が信号電荷（β）に合成される。
【００４１】
このような状況に対し、本実施形態では、赤（Ｒ）のカラーフィルタが付された画素から読み出された信号電荷がαであるかβであるかに応じて、転送タイミングを決定する。具体的には、信号電荷（α）が赤の画素から読み出されている場合には、上記（i）のタイミングで水平転送を行う。一方、信号電荷（β）が赤の画素から読み出されている場合には、上記（ii）又は（iii）のタイミングで水平転送を行う。
【００４２】
ところで、前述のように、スミアが発生すると、本来であれば信号が全く存在しないはずの電荷に若干信号が含まれてしまい、電荷パケットの量が増えてしまう。そして、電荷パケットにおける空電荷の合成量の違いにより、空電荷が多いパケットに対応する画素フィルタの色は、空電荷が合成された量だけ強調され、スミアに色がつくことになる。この結果、ＥＶＦに映し出される映像の質が低下してしまう。また、人間の目には、周波数が低い赤色の光は、周波数が高めの緑色及び青色の光よりも目立って感じられる。このため、空電荷が多いパケットに対応した電荷が赤色フィルタの電荷である場合、更にスミアが目立つようになってしまう。従来の撮像素子の画素の配置は、このようなスミアの赤色傾向は考慮されていない。
【００４３】
そこで、本実施形態では、上述のように、水平転送のタイミングを決定することにより、赤色のフィルタに対応する電荷パケットに空電荷が相対的に少なく合成されるようにする。この結果、赤色のスミアが目立たなくなり、より良好な映像を表示することができるようになる。
【００４４】
なお、上述の実施形態では、間引き率を１／５としているが、他の１／７、１／９等とした場合でも、同様にして、空電荷の合成の種類を列挙することが可能であり、また、空電荷の合成数と赤色のフィルタが付された画素との関係に基づいて、赤色のスミアが目立たなくなるように水平転送のタイミングを決定することができる。
【００４５】
また、図５に示すように、ベイヤ配列を採用している場合、赤色フィルタが付された画素を含む列には必然的に緑色フィルタが付された画素が含まれることになる。
【００４６】
ここで、図１を参照しながら、全体的な動作について説明する。
【００４７】
システム制御回路７は、Ａ／Ｄ変換回路５から出力されてくる信号から空電荷の合成数と赤色のフィルタが付された画素との関係を割り出し、この結果に基づいて、赤色のスミアの色づきが目立たないような水平転送のタイミングを、上記（i）〜（iii）から選択して決定する。次いで、システム制御回路７は、タイミングジェネレータ４に指示を与え、タイミングジェネレータ４は、固体撮像素子３に対する水平転送駆動及び垂直転送駆動を行う。
【００４８】
また、ユーザが押しボタンスイッチ８のオン／オフすることをシステム制御回路７に監視させ、そのスイッチ８の操作に応じて、スミアの色づきが目立たないような（i）〜（iii）のタイミングを決定するようにしてもよい。この場合にも、その後に、システム制御回路７がタイミングジェネレータ４に指示を与え、タイミングジェネレータ４が固体撮像素子３に対する水平転送駆動及び垂直転送駆動を行う。なお、この撮像装置に防水装置を装着した際に、自動的に押しボタンスイッチ８が押されるような機構を設けてもよい。
【００４９】
一般的に、スミアは光の強さに比例するため、屋外等において、太陽光等の強い光が発生する個所にて特に目立つ。即ち、スミアは常に問題となっているのではなく、ユーザが必要であると感じたときに、押しボタンスイッチ８をオンにして、スミアが目立たなくなるような処理を行うようにしてもよい。一方で、海中では、海水が赤色光を吸収し、赤色光が目立たない。このような環境下では、スミアの赤色傾向にそれほど注意する必要はないのである。
【００５０】
なお、前述のように、従来の技術では、映像処理回路による処理によってもスミアを抑制することができないが、これに対し、ゲイン調整による電荷の大きさの違いと、空電荷の合成の違いによる電荷の大きさの違いとを打ち消しあうように画素の配置を行うことも不可能ではない。但し、このようなことを考慮した技術は今のところ存在していない。
【００５１】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００５２】
【図１】本発明の実施形態に係る撮像装置を示すブロック図である。
【図２】固体撮像素子３の構成を示す模式図である。
【図３】固体撮像素子３における電荷の変化の状態を示す模式図である。
【図４】図３に示す変化を一般化したものを示す模式図である。
【図５】ベイヤ方式の配列を示す図である。
【図６】分光感度特性を示すグラフである。
【符号の説明】
【００５３】
１：鏡筒
２：鏡筒制御ドライバ
３：固体撮像素子
４：タイミングジェネレータ
５：Ａ／Ｄ変換回路
６：映像処理回路
７：システム制御回路
８：押しボタンスイッチ
３１：フォトダイオード
３２：垂直転送電極
３３：水平転送電極
３４：出力アンプ部
【図１】
2006157237.tif 000003
【図２】
2006157237.tif 000004
【図３】
2006157237.tif 000005
【図４】
2006157237.tif 000006
【図５】
2006157237.tif 000007
【図６】
2006157237.tif 000008